(57)【要約】【課題】  １種しか外部同期信号を必要としないカラー印刷エンジン用のコントローラ，４種の外部同期信号を必要とするカラー印刷エンジン用のコントローラの双方を、各ビデオ信号にノイズが載らない形で製造することができるビデオ信号供給用集積回路を、提供する。【解決手段】  ビデオ信号供給用集積回路１０を、所定のレジスタに“０”が設定されている場合には、LSYNC_K用端子（Ｋ用の外部同期信号用の端子）に入力された信号，LSYNC_Y用端子に入力された信号，LSYNC_M用端子に入力された信号，LSYNC_C用端子に入力された信号を、それぞれ、LSYNC_K，LSYNC_Y，LSYNC_M，LSYNC_Cとして内部回路１１に供給し、当該所定のEレジスタに“０”が設定されている場合には、LSYNC_K用端子に入力された信号を、LSYNC_K，LSYNC_Y，LSYNC_M及びLSYNC_Cとして内部回路１１に供給する外部同期信号用接続関係切換回路１２Ｌ等を、備えたものとしておく。【選択図】  図１
2006076050.tif 000002
【特許請求の範囲】
【請求項１】
第１〜第４のビデオ信号をカラー印刷エンジンへ供給するためのビデオ信号供給用集積回路であって、
第１〜第４の外部同期信号端子を、備え、
前記第１〜第４の外部同期信号端子から入力された各外部同期信号に同期した形で、対応する各ビデオ信号を前記カラー印刷エンジンに供給する状態と、前記第１〜第４の外部同期信号端子の中の特定の外部同期信号端子から入力された外部同期信号に同期した形で、前記第１〜第４のビデオ信号のそれぞれを前記カラー印刷エンジンに供給する状態とで動作可能なように、構成されている
ことを特徴とするビデオ信号供給用集積回路。
【請求項２】
第１〜第４のビデオ信号をカラー印刷エンジンへ供給するためのビデオ信号供給用集積回路であって、
第１〜第４の外部同期信号端子と、
第１〜第４のビデオクロック端子と、
第１〜第４の垂直同期信号端子と、
前記第１のビデオ信号を、第１のビデオ信号用の外部同期信号，ビデオクロック及び垂直同期信号に同期した形で前記カラー印刷エンジンに供給し、前記第２のビデオ信号を、第２のビデオ信号用の外部同期信号，ビデオクロック及び垂直同期信号に同期した形で前記カラー印刷エンジンに供給し、前記第３のビデオ信号を、第３のビデオ信号用の外部同期信号，ビデオクロック及び垂直同期信号に同期した形で前記カラー印刷エンジンに供給し、前記第４のビデオ信号を、第４のビデオ信号用の外部同期信号，ビデオクロック及び垂直同期信号に同期した形で前記カラー印刷エンジンに供給するための、前記第１〜第４の垂直同期信号端子から入力された信号が、それぞれ、第１〜第４の垂直同期信号として供給されるビデオ信号供給回路と、
前記第１〜第４の外部同期信号端子を全て有効なものとして取り扱うか否かを示す外部同期信号端子用情報と，前記第１〜第４のビデオクロック端子を有効なものとして取り扱うか否かを示すビデオクロック端子用情報とを記憶しておくための記憶素子と、
前記記憶素子に記憶されている前記外部同期信号端子用情報が、前記第１〜第４の外部同期信号端子を全て有効なものとして取り扱うことを示すものである場合には、前記ビデオ信号供給回路に対して、前記第１〜第４の外部同期信号端子に入力された信号を、それぞれ、第１〜第４のビデオ信号用の外部同期信号として供給し、前記外部同期信号端子用情報が、前記第１〜第４の外部同期信号端子を全て有効なものとして取り扱うことを示すものではない場合には、前記ビデオ信号供給回路に対して、前記第１〜第４のビデオ信号用の外部同期信号のいずれとしても前記第１〜第４の外部同期信号端子の中の特定の端子に入力された信号を供給する外部同期信号用回路と、
前記記憶素子に記憶されている前記ビデオクロック端子用情報が、前記第１〜第４のビデオクロック端子を全て有効なものとして取り扱うことを示すものである場合には、前記ビデオ信号供給回路に対して、前記第１〜第４のビデオクロック端子に入力された信号を、それぞれ、第１〜第４のビデオ信号用のビデオクロックとして供給し、前記ビデオクロック端子用情報が、前記第１〜第４のビデオクロック端子を全て有効なものとして取り扱うことを示すものではない場合には、前記ビデオ信号供給回路に対して、前記第１〜第４のビデオ信号用のビデオクロックのいずれとしても前記第１〜第４のビデオクロック端子の中の特定の端子に入力された信号を供給するビデオクロック用回路と
を備えることを特徴とするビデオ信号供給用集積回路。
【請求項３】
第１〜第４のビデオ信号をカラー印刷エンジンへ供給するためのビデオ信号供給用集積回路であって、
第１〜第４の外部同期信号端子と、
第１〜第４のビデオクロック端子と、
第１〜第４の垂直同期信号端子と、
前記第１のビデオ信号を、第１のビデオ信号用の外部同期信号，ビデオクロック及び垂直同期信号に同期した形で前記カラー印刷エンジンに供給し、前記第２のビデオ信号を、第２のビデオ信号用の外部同期信号，ビデオクロック及び垂直同期信号に同期した形で前記カラー印刷エンジンに供給し、前記第３のビデオ信号を、第３のビデオ信号用の外部同期信号，ビデオクロック及び垂直同期信号に同期した形で前記カラー印刷エンジンに供給し、前記第４のビデオ信号を、第４のビデオ信号用の外部同期信号，ビデオクロック及び垂直同期信号に同期した形で前記カラー印刷エンジンに供給するための、前記第１〜第４の垂直同期信号端子から入力された信号が、それぞれ、第１〜第４の垂直同期信号として供給されるビデオ信号供給回路と、
前記第１〜第４の外部同期信号端子を全て有効なものとして取り扱うか否かを示す外部同期信号端子用情報と，前記第１〜第４のビデオクロック端子を全て有効なものとして取り扱うか否かを示すビデオクロック端子用情報と，前記第１〜第４の垂直同期信号端子を全て有効なものとして取り扱うか否かを示す垂直同期信号端子用情報とを記憶しておくための記憶素子と、
前記記憶素子に記憶されている前記外部同期信号端子用情報が、前記第１〜第４の外部同期信号端子を全て有効なものとして取り扱うことを示すものである場合には、前記ビデオ信号供給回路に対して、前記第１〜第４の外部同期信号端子に入力された信号を、それぞれ、第１〜第４のビデオ信号用の外部同期信号として供給し、前記外部同期信号端子用情報が、前記第１〜第４の外部同期信号端子を全て有効なものとして取り扱うことを示すものではない場合には、前記ビデオ信号供給回路に対して、前記第１〜第４のビデオ信号用の外部同期信号のいずれとしても前記第１〜第４の外部同期信号端子の中の特定の端子に入力された信号を供給する外部同期信号用回路と、
前記記憶素子に記憶されている前記ビデオクロック端子用情報が、前記第１〜第４のビデオクロック端子を全て有効なものとして取り扱うことを示すものである場合には、前記ビデオ信号供給回路に対して、前記第１〜第４のビデオクロック端子に入力された信号を、それぞれ、第１〜第４のビデオ信号用のビデオクロックとして供給し、前記ビデオクロック端子用情報が、前記第１〜第４のビデオクロック端子を全て有効なものとして取り扱うことを示すものではない場合には、前記ビデオ信号供給回路に対して、前記第１〜第４のビデオ信号用のビデオクロックのいずれとしても前記第１〜第４のビデオクロック端子の中の特定の端子に入力された信号を供給するビデオクロック用回路と、
前記記憶素子に記憶されている前記垂直同期信号端子用情報が、前記第１〜第４の垂直同期信号端子を全て有効なものとして取り扱うことを示すものである場合には、前記ビデオ信号供給回路に対して、前記第１〜第４の垂直同期信号端子に入力された信号を、それぞれ、第１〜第４のビデオ信号用の垂直同期信号として前記ビデオ信号供給回路に供給し、前記垂直同期端子用情報が、前記第１〜第４の垂直同期信号端子を全て有効なものとして取り扱うことを示すものではない場合には、前記ビデオ信号供給回路に対して、前記第１〜第４のビデオ信号用の垂直同期信号のいずれとしても前記第１〜第４の垂直同期信号端子の中の特定の端子に入力された信号を供給する垂直同期信号用回路と
を備えることを特徴とするビデオ信号供給用集積回路。
【発明の詳細な説明】
【技術分野】
【０００１】
本発明は、カラーレーザプリンタを製造するために用いられるビデオ信号供給用集積回路に、関する。
【背景技術】
【０００２】
現在、市販されているカラーレーザプリンタの中には、図７（Ａ），（Ｂ）に例示したような構成を有するもの、すなわち、仕様の異なる印刷エンジンが搭載されているが，そのコントローラ上には、同じビデオ信号供給用集積回路５０が実装されているものが、存在している。なお、仕様の異なる印刷エンジンとは、Ｃ，Ｍ，Ｙ，Ｋ用ビデオ信号の供給タイミングを決定するために必要とされるビデオクロック，垂直同期信号，外部同期信号の数が異なる印刷エンジンのことである。また、ビデオ信号供給用集積回路５０とは、入力されたビデオクロック，垂直同期信号，外部同期信号に応じたタイミングで（各信号に同期した形で）、Ｃ，Ｍ，Ｙ，Ｋ用のビデオ信号を印刷エンジンに供給するＡＳＩＣのことである。
【０００３】
このような構成のカラーレーザプリンタが市販されているのは、搭載する印刷エンジンの仕様別にビデオ信号供給用集積回路を用意した場合よりも、各カラーレーザプリンタを安価に製造できることになるためである。しかしなから、この構成を採用して、外部同期信号を１種しか必要としない印刷エンジンを搭載したカラーレーザプリンタ（図７（Ｂ）参照）を製造した場合、ノイズが各ビデオ信号に比較的に載りやすいカラーレーザプリンタが得られてしまっていた。
【０００４】
何故ならば、外部同期信号を１種しか必要としない印刷エンジンが搭載されたカラーレーザプリンタを製造するためには、そのコントローラ用のプリント配線板として、ビデオ信号供給用集積回路５０の外部同期信号端子（図におけるLSYNC_K,Y,M,C）間を接続する配線が形成されたものを用意しなければならない。ただし、印刷エンジン側の信号端子の並び順と対応させる都合上、ビデオ信号供給用集積回路５０は、各色用のビデオ信号端子（図におけるVD_K,Y,M,C）と外部同期信号端子とが交互に並んだものとなっているため、外部同期信号を１種しか必要としない印刷エンジンが搭載されたカラーレーザプリンタのコントローラ用のプリント配線板は、外部同期信号端子間を接続する配線と、ビデオ信号用の配線とが立体交差したもの（外部同期信号端子間を接続する配線の存在が、各ビデオ信号のリターン電流経路に悪影響を与えるもの）として製造せざるを得ない。このため、上記構成を採用して製造された、外部同期信号を１種しか必要としない印刷エンジンを搭載したカラーレーザプリンタは、ノイズが各ビデオ信号に比較的に載りやすいものとなってしまっているのである。
【発明の開示】
【発明が解決しようとする課題】
【０００５】
そこで、本発明の課題は、それを用いることにより、１種しか外部同期信号を必要としないカラー印刷エンジン用のコントローラ，４種の外部同期信号を必要とするカラー印刷エンジン用のコントローラの双方を、各ビデオ信号にノイズが載らない形で製造することができるビデオ信号供給用集積回路を、提供することにある。
【課題を解決するための手段】
【０００６】
上記課題を解決するために、本発明の第１の態様では、第１〜第４のビデオ信号をカラー印刷エンジンへ供給するためのビデオ信号供給用集積回路を、第１〜第４の外部同期信号端子を、備えた回路であって、第１〜第４の外部同期信号端子から入力された各外部同期信号に同期した形で、対応する各ビデオ信号をカラー印刷エンジンに供給する状態と、第１〜第４の外部同期信号端子の中の特定の外部同期信号端子から入力された外部同期信号に同期した形で、第１〜第４のビデオ信号のそれぞれをカラー印刷エンジンに供給する状態とで動作可能な回路として構成（製造）しておく。
【０００７】
すなわち、本発明の第１の態様のビデオ信号供給用集積回路は、第１〜第４の外部同期信号端子から入力された各外部同期信号に同期した形で、対応する各ビデオ信号をカラー印刷エンジンに供給する状態と、特定の外部同期信号端子から入力された外部同期信号に同期した形で第１〜第４のビデオ信号のそれぞれをカラー印刷エンジンに供給する状態とで動作可能な構成を有する。そして、後者の状態で動作させたビデオ信号供給用集積回路の動作内容（機能）は、既存のビデオ信号供給用集積回路と，その外部同期信号端子間を接続するためにプリント配線板上に設けられている配線部分とからなる回路と同じものとなるので、このビデオ信号供給用集積回路を用いれば、１種しか外部同期信号を必要としない印刷エンジン用のコントローラ、４種の外部同期信号を必要とする印刷エンジン用のコントローラの双方を、各ビデオ信号にノイズが載らない形で（ビデオ信号用の配線と立体交差する配線が存在しないプリント配線板を用いて）、製造できることになる。
【０００８】
また、本発明の第２の態様では、第１〜第４のビデオ信号をカラー印刷エンジンへ供給するためのビデオ信号供給用集積回路を、第１〜第４の外部同期信号端子と、第１〜第４のビデオクロック端子と、第１〜第４の垂直同期信号端子と、第１のビデオ信号を、第１のビデオ信号用の外部同期信号，ビデオクロック及び垂直同期信号に同期した形でカラー印刷エンジンに供給し、第２のビデオ信号を、第２のビデオ信号用の外部同期信号，ビデオクロック及び垂直同期信号に同期した形でカラー印刷エンジンに供給し、第３のビデオ信号を、第３のビデオ信号用の外部同期信号，ビデオクロック及び垂直同期信号に同期した形でカラー印刷エンジンに供給し、第４のビデオ信号を、第４のビデオ信号用の外部同期信号，ビデオクロック及び垂直同期信号に同期した形でカラー印刷エンジンに供給するための、第１〜第４の垂直同期信号端子から入力された信号が、それぞれ、第１〜第４の垂直同期信号として供給されるビデオ信号供給回路と、第１〜第４の外部同期信号端子を全て有効なものとして取り扱うか否かを示す外部同期信号端子用情報と，第１〜第４のビデオクロック端子を有効なものとして取り扱うか否かを示すビデオクロック端子用情報とを記憶しておくための記憶素子と、記憶素子に記憶されている外部同期信号端子用情報が、第１〜第４の外部同期信号端子を全て有効なものとして取り扱うことを示すものである場合には、ビデオ信号供給回路に対して、第１〜第４の外部同期信号端子に入力された信号を、それぞれ、第１〜第４のビデオ信号用の外部同期信号として供給し、外部同期信号端子用情報が、第１〜第４の外部同期信号端子を全て有効なものとして取り扱うことを示すものではない場合には、ビデオ信号供給回路に対して、第１〜第４のビデオ信号用の外部同期信号のいずれとしても第１〜第４の外部同期信号端子の中の特定の端子に入力された信号を供給する外部同期信号用回路と、記憶素子に記憶されているビデオクロック端子用情報が、第１〜第４のビデオクロック端子を全て有効なものとして取り扱うことを示すものである場合には、ビデオ信号供給回路に対して、第１〜第４のビデオクロック端子に入力された信号を、それぞれ、第１〜第４のビデオ信号用のビデオクロックとして供給し、ビデオクロック端子用情報が、第１〜第４のビデオクロック端子を全て有効なものとして取り扱うことを示すものではない場合には、ビデオ信号供給回路に対して、第１〜第４のビデオ信号用のビデオクロックのいずれとしても第１〜第４のビデオクロック端子の中の特定の端子に入力された信号を供給するビデオクロック用回路とを備えるものとして構成しておく。
【０００９】
この本発明の第２の態様のビデオ信号供給用集積回路も、既存のビデオ信号供給用集積回路と，その外部同期信号端子間を接続するためにプリント配線板上に設けられている配線部分とからなる回路と同じ動作が可能なものとなっている。従って、このビデオ信号供給用集積回路を用いても、１種しか外部同期信号を必要としない印刷エンジン用のコントローラ、４種の外部同期信号を必要とする印刷エンジン用のコントローラの双方を、各ビデオ信号にノイズが載らない形で（ビデオ信号用の配線と立体交差する配線が存在しないプリント配線板を用いて）、製造できることになる。
【００１０】
さらに、本発明の第２の態様のビデオ信号供給用集積回路は、「記憶素子に記憶されているビデオクロック端子用情報が、第１〜第４のビデオクロック端子を全て有効なものとして取り扱うことを示すものである場合には、ビデオ信号供給回路に対して、第１〜第４のビデオクロック端子に入力された信号を、それぞれ、第１〜第４のビデオ信号用のビデオクロックとして供給し、ビデオクロック端子用情報が、第１〜第４のビデオクロック端子を全て有効なものとして取り扱うことを示すものではない場合には、ビデオ信号供給回路に対して、第１〜第４のビデオ信号用のビデオクロックのいずれとしても第１〜第４のビデオクロック端子の中の特定の端子に入力された信号を供給するビデオクロック用回路」を備えたものとなっている。従って、このビデオ信号供給用集積回路は、使用されるビデオクロックの数（周波数）が異なる２つの動作モード（例えば、全てのビデオクロックの周波数が等しいモノクロ印刷モードと、全て（一部）のビデオクロックの周波数が異なるカラー印刷モード）を有するコントローラを、特殊なＰＬＬ（ビデオクロックを発生するための回路）を用いずに製造できる回路となっていると言うことも出来る。
【００１１】
そして、本発明の第３の態様では、第１〜第４のビデオ信号をカラー印刷エンジンへ供給するためのビデオ信号供給用集積回路を、第１〜第４の外部同期信号端子と、第１〜第４のビデオクロック端子と、第１〜第４の垂直同期信号端子と、第１のビデオ信号を、第１のビデオ信号用の外部同期信号，ビデオクロック及び垂直同期信号に同期した形でカラー印刷エンジンに供給し、第２のビデオ信号を、第２のビデオ信号用の外部同期信号，ビデオクロック及び垂直同期信号に同期した形でカラー印刷エンジンに供給し、第３のビデオ信号を、第３のビデオ信号用の外部同期信号，ビデオクロック及び垂直同期信号に同期した形でカラー印刷エンジンに供給し、第４のビデオ信号を、第４のビデオ信号用の外部同期信号，ビデオクロック及び垂直同期信号に同期した形でカラー印刷エンジンに供給するための、第１〜第４の垂直同期信号端子から入力された信号が、それぞれ、第１〜第４の垂直同期信号として供給されるビデオ信号供給回路と、第１〜第４の外部同期信号端子を全て有効なものとして取り扱うか否かを示す外部同期信号端子用情報と，第１〜第４のビデオクロック端子を全て有効なものとして取り扱うか否かを示すビデオクロック端子用情報と，第１〜第４の垂直同期信号端子を全て有効なものとして取り扱うか否かを示す垂直同期信号端子用情報とを記憶しておくための記憶素子と、記憶素子に記憶されている外部同期信号端子用情報が、第１〜第４の外部同期信号端子を全て有効なものとして取り扱うことを示すものである場合には、ビデオ信号供給回路に対して、第１〜第４の外部同期信号端子に入力された信号を、それぞれ、第１〜第４のビデオ信号用の外部同期信号として供給し、外部同期信号端子用情報が、第１〜第４の外部同期信号端子を全て有効なものとして取り扱うことを示すものではない場合には、ビデオ信号供給回路に対して、第１〜第４のビデオ信号用の外部同期信号のいずれとしても第１〜第４の外部同期信号端子の中の特定の端子に入力された信号を供給する外部同期信号用回路と、記憶素子に記憶されているビデオクロック端子用情報が、第１〜第４のビデオクロック端子を全て有効なものとして取り扱うことを示すものである場合には、ビデオ信号供給回路に対して、第１〜第４のビデオクロック端子に入力された信号を、それぞれ、第１〜第４のビデオ信号用のビデオクロックとして供給し、ビデオクロック端子用情報が、第１〜第４のビデオクロック端子を全て有効なものとして取り扱うことを示すものではない場合には、ビデオ信号供給回路に対して、第１〜第４のビデオ信号用のビデオクロックのいずれとしても第１〜第４のビデオクロック端子の中の特定の端子に入力された信号を供給するビデオクロック用回路と、記憶素子に記憶されている垂直同期信号端子用情報が、第１〜第４の垂直同期信号端子を全て有効なものとして取り扱うことを示すものである場合には、ビデオ信号供給回路に対して、第１〜第４の垂直同期信号端子に入力された信号を、それぞれ、第１〜第４のビデオ信号用の垂直同期信号としてビデオ信号供給回路に供給し、垂直同期端子用情報が、第１〜第４の垂直同期信号端子を全て有効なものとして取り扱うことを示すものではない場合には、ビデオ信号供給回路に対して、第１〜第４のビデオ信号用の垂直同期信号のいずれとしても第１〜第４の垂直同期信号端子の中の特定の端子に入力された信号を供給する垂直同期信号用回路とを備えるものとして構成しておく。
【００１２】
すなわち、本発明の第３の態様のビデオ信号供給用集積回路は、本発明の第２の態様のビデオ信号供給用集積回路を、垂直同期信号の入力数も切り換えられるように変形したもの（本発明の第２の態様のビデオ信号供給用集積回路に、垂直回路信号用回路の追加等を行ったもの）となっている。従って、本発明の第３の態様のビデオ信号供給用集積回路は、本発明の第２の態様のビデオ信号供給用集積回路と同じ効果を奏する集積回路であると共に、必要とする垂直同期信号の数が異なる印刷エンジン用のコントローラの製造にも使用可能な集積回路となっていると言うことが出来る。
【発明を実施するための最良の形態】
【００１３】
以下、本発明を実施するための最良の形態を、図面を参照して詳細に説明する。
【００１４】
図１に、本発明の一実施形態に係るビデオ信号供給用集積回路１０の構成を示す。
【００１５】
図示したように、本実施形態に係るビデオ信号供給用集積回路１０は、内部回路１１と、ビデオクロック用接続関係切換回路１２Ｅと、外部同期信号用接続関係切換回路１２Ｌと、垂直同期信号用接続関係切換回路１２Ｖとを、備えた回路（ＡＳＩＣ）である。
【００１６】
このビデオ信号供給用集積回路１０が備える内部回路１１（請求項２，３におけるビデオ信号供給回路に相当）は、ビデオ信号供給用集積回路５０（図７参照）に相当する回路〔入力された４種のビデオクロック，４種の外部同期信号及び４種の垂直同期信号に同期した形で４種のビデオ信号を出力する回路〕である。
【００１７】
換言すれば、本実施形態に係るビデオ信号供給用集積回路１０は、ビデオ信号供給用集積回路５０に、ビデオクロック用接続関係切換回路１２Ｅ（請求項２，３における記憶素子の一部とビデオクロック用回路とに相当）と、外部同期信号用接続関係切換回路１２Ｌ（請求項２、３における記憶素子の一部と外部同期信号用回路とに相当）と、垂直同期信号用接続関係切換回路１２Ｖ（請求項３における記憶素子の一部と垂直同期信号用回路とに相当）とを付加した回路となっている。
【００１８】
ビデオ信号供給用集積回路１０が備えるビデオクロック用接続関係切換回路１２Ｅは、図２に示した構成の回路である。
【００１９】
すなわち、ビデオクロック用接続関係切換回路１２Ｅは、１ビットレジスタであるEVCLK_IN_MODEレジスタ（請求項２，３における記憶素子の一部〔ビデオクロック端子用情報を記憶するための部分〕に相当）を備えた回路であって、EVCLK_IN_MODEレジスタに“１”が設定されている場合には、ビデオ信号供給用集積回路１０のEVCLK_K用端子に入力された信号，EVCLK_Y用端子に入力された信号，EVCLK_M用端子に入力された信号，EVCLK_C用端子に入力された信号を、それぞれ、EVCLK_K，EVCLK_Y，EVCLK_M，EVCLK_Cとして内部回路１１に供給し、EVCLK_IN_MODEレジスタに“０”が設定されている場合には、EVCLK_K用端子に入力された信号を、EVCLK_K，EVCLK_Y，EVCLK_M及びEVCLK_Cとして内部回路１１に供給する回路となっている。
【００２０】
外部同期信号用接続関係切換回路１２Ｌ，垂直同期信号用接続関係切換回路１２Ｖも、このビデオクロック用接続関係切換回路１２Ｅと同構成の回路である。
【００２１】
すなわち、外部同期信号用接続関係切換回路１２Ｖは、１ビットレジスタであるLSYNC_IN_MODEレジスタ（請求項２，３における記憶素子の一部〔外部同期信号用端子情報を記憶するための部分〕に相当）を備えた回路であって、LSYNC_IN_MODEレジスタに“１”が設定されている場合には、ビデオ信号供給用集積回路１０のLSYNC_K用端子に入力された信号，LSYNC_Y用端子に入力された信号，LSYNC_M用端子に入力された信号，LSYNC_C用端子に入力された信号を、それぞれ、LSYNC_K，LSYNC_Y，LSYNC_M，LSYNC_Cとして内部回路１１に供給し、LSYNC_IN_MODEレジスタに“０”が設定されている場合には、LSYNC_K用端子に入力された信号を、LSYNC_K，LSYNC_Y，LSYNC_M及びLSYNC_Cとして内部回路１１に供給する回路となっている。また、垂直同期信号用接続関係切換回路１２Ｖは、１ビットレジスタであるVSYNC_IN_MODEレジスタ（請求項３における記憶素子の一部〔垂直同期信号用端子情報を記憶するための部分〕に相当）を備えた回路であって、VSYNC_IN_MODEレジスタに“１”が設定されている場合には、ビデオ信号供給用集積回路１０のVSYNC_K用端子に入力された信号，VSYNC_Y用端子に入力された信号，VSYNC_M用端子に入力された信号，VSYNC_C用端子に入力された信号を、それぞれ、VSYNC_K，VSYNC_Y，VSYNC_M，VSYNC_Cとして内部回路１１に供給し、VSYNC_IN_MODEレジスタに“０”が設定されている場合には、VSYNC_K用端子に入力された信号を、VSYNC_K，VSYNC_Y，VSYNC_M及びVSYNC_Cとして内部回路１１に供給する回路となっている。
【００２２】
本実施形態に係るビデオ信号供給用集積回路１０は、上記のような構成を有するものとなっている。
【００２３】
従って、このビデオ信号供給用集積回路１０を用いれば、図３〜図６に例示したように、各種印刷エンジンを搭載したカラーレーザプリンタ用のコントローラを、その印刷エンジンの制御に必要とされるビデオクロック信号／外部同期信号／垂直同期信号の数に依らず、同種の信号用の端子間を接続するための配線が存在しないプリント配線板（つまり、各ビデオ信号のリターン電流経路が確保されているプリント配線板）を用いて製造できることになる。なお、各図中のEVCLK_IN_MODE=0といった表記は、各図に示したコントローラにおいて、ビデオ信号供給用集積回路１０が、各レジスタにどのような値が設定された状態で使用されるかを示すものである。より具体的には、例えば、図３のコントローラのビデオ信号供給用集積回路１０内に示してある、EVCLK_IN_MODE=0，LSYNC_IN_MODE=0，VSYNC_IN_MODE=1といった表記は、このコントローラ（図７（Ｂ）に示したコントローラに相当するもの）では、ビデオ信号供給用集積回路１０が、EVCLK_IN_MODEレジスタ，LSYNC_IN_MODEレジスタ，VSYNC_IN_MODEレジスタに、それぞれ、“０”、“０”、“１”が設定された状態で使用されることを示している。
【００２４】
また、図４や図５に示した構成のコントローラ（ビデオ信号供給用集積回路１０が４種のビデオクロックを出力可能なＰＬＬと接続されたコントローラ）は、EVCLK_IN_MODEレジスタの値が“０”に変更された場合、ビデオ信号供給用集積回路１０の内部回路１１に、EVCLK_K，EVCLK_Y，EVCLK_M，EVCLK_Cとして、全て、EVCLK_K用端子に入力された信号が供給されるものとして機能することになる。
【００２５】
従って、ビデオ信号供給用集積回路１０は、使用されるビデオクロックの数（周波数）が異なる２つの動作モード（例えば、全てのビデオクロックの周波数が等しいモノクロ印刷モードと、全て（一部）のビデオクロックの周波数が異なるカラー印刷モード）を有するコントローラを、特殊なＰＬＬ（EVCLK_Y用端子，EVCLK_M用端子，EVCLK_C用端子に対して出力する各ビデオクロックの周波数を変更できるＰＬＬ等）を用いずに製造できる回路となっていると言うことも出来る。
【００２６】
＜変形形態＞
ビデオ信号供給用集積回路１０は各種の変形を行うことが出来る。例えば、垂直同期信号を４種必要とする印刷エンジンを用いたカラーレーザプリンタだけを製造する場合には、ビデオ信号供給用集積回路１０を、垂直同期信号用接続関係切換回路１２Ｖを備えないもの（垂直同期信号用の各端子と内部回路１１とが直結されているもの）に変形しておいても良い。また、垂直同期信号を１種しか必要としない印刷エンジンを用いたカラーレーザプリンタだけを製造する場合には、ビデオ信号供給用集積回路１０を、垂直同期信号用接続関係切換回路１２Ｖの代わりに、内部回路１１へのVSYNC_K，VSYNC_Y，VSYNC_M，VSYNC_Cを、いずれも、VSYNC_K用端子に入力された信号とする回路（配線）が設けられたものとしておいても良い。ビデオクロック信号に関しても同様の変形が可能である。ただし、３種の接続関係切換回路１２を備えたビデオ信号供給用集積回路１０を製造するために要するコストは、１種或いは２種の接続関係切換回路１２を備えたビデオ信号供給用集積回路に要するコストと殆ど変わらないので、上記したビデオ信号供給用集積回路１０の構成を採用しておくことが望ましい。
【図面の簡単な説明】
【００２７】
【図１】本発明の一実施形態に係るビデオ信号供給用集積回路の構成を示すブロック図である。
【図２】実施形態に係るビデオ信号供給用集積回路が備えるビデオクロック用接続関係切換回路の回路図である。
【図３】実施形態に係るビデオ信号供給用集積回路を用いて製造可能なカラーレーザプリンタの説明図である。
【図４】実施形態に係るビデオ信号供給用集積回路を用いて製造可能なカラーレーザプリンタの説明図である。
【図５】実施形態に係るビデオ信号供給用集積回路を用いて製造可能なカラーレーザプリンタの説明図である。
【図６】実施形態に係るビデオ信号供給用集積回路を用いて製造可能なカラーレーザプリンタの説明図である。
【図７】同一のビデオ信号供給用集積回路が用いて製造されている既存のカラーレーザプリンタの構成を説明するための図である。
【符号の説明】
【００２８】
１０、５０  ビデオ信号供給用集積回路
１１  内部回路、１２Ｅ  ビデオクロック用接続関係切換回路
１２Ｌ  外部同期信号用接続関係切換回路、
１２Ｖ  垂直同期信号用接続関係切換回路
【図１】
2006076050.tif 000003
【図２】
2006076050.tif 000004
【図３】
2006076050.tif 000005
【図４】
2006076050.tif 000006
【図５】
2006076050.tif 000007
【図６】
2006076050.tif 000008
【図７】
2006076050.tif 000009